(57)【要約】      （修正有）【課題】収納容器の手前若しくは前方となる位置を収納対象物の取出位置とし、所定の操作で収納対象物を取出位置に繰り出し可能に設けて取り出しできる収納容器と、これを用いた陳列什器を提供する。【解決手段】転動可能な外周形状を備えた収納対象物Ｇを案内する傾斜角度の案内部と、その前端部で収納対象物Ｇの転動を規制するストッパ部２６とを有する容器本体３０と、容器本体の内外に延在して前後が上下に揺動可能なアーム部材２８を含む操作手段２９とにより収納容器１２が構成されている。収納容器は陳列什器のケースに出し入れ可能に設けられている。アーム部材２８の前端部に取出位置を形成する操作部３９を備え、この操作部を押し下げることで、アーム部材の後端側が収納対象物を押し上げて当該アーム部材側に転動させるようになっている。【選択図】図２
0003235576.tif 000002
【実用新案登録請求の範囲】
【請求項１】
左右の側壁と、前壁と、後壁とを有する周壁と、当該周壁の内側に設けられるとともに、転動可能な外周形状を備えた棒状の収納対象物を後壁側に向って転動させた後に前壁側に転動方向を転回させる傾斜角度に設けられた案内部と、当該案内部の最終位置を形成する前端部に設けられて収納対象物の転動を規制するストッパ部とを有する容器本体と、
前記容器本体の前記前壁側で内外に延在するとともに前後が上下方向に交互に変位するように揺動可能に支持されたアーム部材を含む操作手段とを備え、
前記操作手段は、前記アーム部材の前端側に前記収納対象物の取出位置を形成する操作部を備えている一方、後端側に前記収納対象物の押し上げ部を備え、
前記操作部を下方に押圧して前記押し上げ部を上方に変位させることで、前記ストッパ部で転動規制された最先の収納対象物がストッパ部を乗り越えて前記アーム部材上の前記取出位置まで転動可能に設けられていることを特徴とする収納容器。
【請求項２】
前記案内部は、後部が前部よりも低い傾斜角度の上段案内部と、この上段案内部の後端から前記収納対象物を受け取り可能に設けられているとともに、前部が後部よりも低い傾斜角度を有し、且つ、前記上段案内部の中間部下方に前記前端部が位置する前後長さに設けられた下段案内部とを備え、
前記アーム部材は、前記操作部を前壁の前方に位置させる一方、後端側が前記下段案内部の下方に達する長さを備えているとともに前記押し上げ部が前記下段案内部と干渉することなく上方に変位可能に設けられていることを特徴とする請求項１記載の収納容器。
【請求項３】
前記上段案内部は前壁内面から後壁の手前まで延びて前記収納対象物の中央領域を転動可能に案内する中央案内部と、当該中央案内部の左右両側で当該中央案内部の途中まで延びて前記収納対象物の端部領域を転動可能に案内する端部案内部とを備え、
前記下段案内部は前記後壁の左右両側内面から前壁方向に延びて収納対象物の端部領域を案内する左右一対をなし、これら下段案内部の前端部に前記ストッパ部がそれぞれ設けられ、
前記アーム部材は、前記下段案内部に対応して左右一対に設けられているとともに、これらアーム部材は、連結部材を介して相互に連結されていることを特徴とする請求項１又は２記載の収納容器。
【請求項４】
前記下段案内部は、前記ストッパ部よりも前記後壁側で前記収納対象物の転動を規制する段部を更に備え、前記連結部材は前記段部で転動規制された収納対象物を押し上げて前記ストッパ部側に転動させる片部材を後端側に備えていることを特徴とする請求項２又は３記載の収納容器。
【請求項５】
前記案内部上を転動する収納対象物の長さに応じて案内幅を規制する左右一対のガイド片を更に含み、これらガイド片は、前記案内部に設けられた取付部に着脱可能に設けられていることを特徴とする請求項１ないし４の何れかに記載の収納容器。
【請求項６】
請求項１ないし５の何れかに記載した収納容器と、当該収納容器を前後方向に出し入れ可能に設けたケースとを備えた陳列什器であって、
前記ケースは前部開放型の箱状に設けられているとともに、前記収納容器を収容した状態で前記収納容器の前壁がケースの前面側を形成し、
前記前壁は、その下端と前記ケースの底壁若しくは棚板との間に空間が形成される上下寸法とされて前記操作手段が前壁の下方を通って前記ケースの内外に延在することを特徴とする陳列什器。
【請求項７】
前記ケースは、前記収納容器を上下方向及び又は左右方向に複数列配置可能に設けられ、当該収納容器の前壁面には、収納される収納対象物の種別若しくは特性等の表示部が設けられていることを特徴とする請求項６記載の陳列什器。
【考案の詳細な説明】
【技術分野】
【０００１】
本考案は収納容器及び陳列什器に係り、更に詳しくは、転動可能な外周形状を備えた筆記用具、化粧用具等、棒状若しくは軸状をなす収納対象物の収納に適合するとともに、所定の操作を介して取出位置まで収納対象物を転動させてこれを取り出すことができる収納容器と、この収納容器を所定のケース内に出し入れ可能に設けてショップ内で商品陳列に利用することができる陳列什器に関する。
【背景技術】
【０００２】
棒状若しくは軸状をなす筆記用具等を文具ショップ内で販売するための収納容器若しくは陳列什器としては、例えば、特許文献１に示されているように、上端が開口する複数の角筒状の収納部を備えた箱状のケースを用いたものが知られている。同文献１における各収納部には、当該収納部毎に筆記用具が複数本ずつ立て掛けた姿勢で収納され、購入する際には、消費者が所望の筆記用具を収納部から抜き出すものとなっている。
収納対象物の収納姿勢が異なる他のタイプの収納容器若しくは陳列什器としては、例えば、特許文献２に開示されたものが知られている。
【先行技術文献】
【特許文献】
【０００３】
【特許文献１】実用新案登録第３２０３４４０号公報
【特許文献２】特開２０１８−２２７８号公報
【考案の概要】
【考案が解決しようとする課題】
【０００４】
特許文献２記載の収納容器は、円形断面を有する収納対象物（缶）を転がり動く姿勢で収容する容器本体を含み、当該容器本体の内部空間を上下２つの収容室に仕切るとともに連続する通路を形成する仕切板を備え、上側の収容室の前端部を収納対象物の補充口とする一方、下側の収容室の前端部を収納対象物の取出口として形成されている。この収納容器は、収納対象物が上側の収容室から下側の収容室に転がって取出口に位置することで、収納容器の前端部から一つずつ取り出し可能とされている。
しかしながら、特許文献２記載の収納容器は、収納対象物の外周形状を利用することで、当該収納対象物を取出口に位置させる点で特許文献１と異なるに過ぎず、例えば、収納対象物の残りが少なくなったときには、当該収納対象物が下側の収容室の途中で止まって取出口に位置させることができなくなるような不都合を生じ得る。
また、特許文献２の収納容器は、上側の収容室から下側の収容室に収納対象物を転がるようにしただけであって、消費者による操作で取出位置に収納対象物を位置させるような構造は採用されていない。
【０００５】
［考案の目的］
本考案は、収納容器の手前若しくは前方となる位置を収納対象物の取出位置とし、当該収納対象物を容易且つ確実に取り出しできるとともに、前記取出位置まで収納対象物を転動して繰り出す操作を消費者において行うようにした収納容器と、当該収納容器を用いた陳列什器を提供することにある。
また、本考案の他の目的は、デザイン、機能に関して、従来にない斬新性を付与することで、ショップ内での陳列レイアウト等に多様性を付与することが期待できる収納容器及び陳列什器を提供することにある。
本考案の更に他の目的は、常時は収納対象物が収納容器内に収納された状態を維持する一方、必要とする場合にのみ取出位置に収納対象物を位置させることで、収納対象物に埃等が堆積してしまうような不都合を回避することができる収納容器及び陳列什器を提供することにある。
また、本考案の他の目的は、従来の収納容器との相違を顕著なものとして販売促進という副次的効果を狙った収納容器及び陳列什器を提供することにある。
【課題を解決するための手段】
【０００６】
前記目的を達成するため、本考案は、実用新案登録請求の範囲記載の構成を採用したものである。具体的には、左右の側壁と、前壁と、後壁とを有する周壁と、当該周壁の内側に設けられるとともに、転動可能な外周形状を備えた棒状の収納対象物を後壁側に向って転動させた後に前壁側に転動方向を転回させる傾斜角度に設けられた案内部と、当該案内部の最終位置を形成する前端部に設けられて収納対象物の転動を規制するストッパ部とを有する容器本体と、
前記容器本体の前記前壁側で内外に延在するとともに前後が上下方向に交互に変位するように揺動可能に支持されたアーム部材を含む操作手段とを備え、
前記操作手段は、前記アーム部材の前端側に前記収納対象物の取出位置を形成する操作部を備えている一方、後端側に前記収納対象物の押し上げ部を備え、
前記操作部を下方に押圧して前記押し上げ部を上方に変位させることで、前記ストッパ部で転動規制された最先の収納対象物がストッパ部を乗り越えて前記アーム部材上の前記取出位置まで転動可能に設けられる、という構成を採っている。
【０００７】
本考案において、前記案内部は、後部が前部よりも低い傾斜角度の上段案内部と、この上段案内部の後端から前記収納対象物を受け取り可能に設けられているとともに、前部が後部よりも低い傾斜角度を有し、且つ、前記上段案内部の中間部下方に前記前端部が位置する前後長さに設けられた下段案内部とを備え、
前記アーム部材は、前記操作部を前壁の前方に位置させる一方、後端側が前記下段案内部の下方に達する長さを備えているとともに前記押し上げ部が前記下段案内部と干渉することなく上方に変位可能に設けられる、という構成を採ることが好ましい。
【０００８】
また、前記上段案内部は前壁内面から後壁の手前まで延びて前記収納対象物の中央領域を転動可能に案内する中央案内部と、当該中央案内部の左右両側で当該中央案内部の途中まで延びて前記収納対象物の端部領域を転動可能に案内する端部案内部とを備え、
前記下段案内部は前記後壁の左右両側内面から前壁方向に延びて収納対象物の端部領域を案内する左右一対をなし、これら下段案内部の前端部に前記ストッパ部がそれぞれ設けられ、
前記アーム部材は、前記下段案内部に対応して左右一対に設けられているとともに、これらアーム部材は、連結部材を介して相互に連結される、という構成とすることが好ましい。
【０００９】
更に、前記下段案内部は、前記ストッパ部よりも前記後壁側で前記収納対象物の転動を規制する段部を更に備え、前記連結部材は前記段部で転動規制された収納対象物を押し上げて前記ストッパ部側に転動させる片部材を後端側に備えた構成を採用することができる。
【００１０】
また、前記案内部上を転動する収納対象物の長さに応じて案内幅を規制する左右一対のガイド片を更に含み、これらガイド片は、前記案内部に設けられた取付部に着脱可能に設けられる、という構成を採ることもできる。
【００１１】
更に、本考案に係る陳列什器は、前述した収納容器と、当該収納容器を前後方向に出し入れ可能に設けたケースとを備えた陳列什器であって、
前記ケースは前部開放型の箱状に設けられているとともに、前記収納容器を収容した状態で前記収納容器の前壁がケースの前面側を形成し、
前記前壁は、その下端と前記ケースの底壁若しくは棚板との間に空間が形成される上下寸法とされて前記操作手段が前壁の下方を通って前記ケースの内外に延在する、という構成を採っている。
【００１２】
また、前記陳列什器におけるケースは、前記収納容器を上下方向及び又は左右方向に複数列配置可能に設けられ、当該収納容器の前壁面には、収納される収納対象物の種別若しくは特性等の表示部が設けられる、という構成を採ることが好ましい。
【考案の効果】
【００１３】
本考案によれば、前記操作手段の操作部を下方に押圧して前記押し上げ部を上方に変位させることで収納容器内の最先の収納対象物をアーム部材が受け取り、次いで、当該アーム部材の前端側の取出位置まで収納対象物を転動させて繰り出すように設けられているため、従来にない楽しい操作感を伴って収納対象物を取り出すことができる。
また、収納容器の前部側から収納対象物を収納できるとともに、収納容器の前壁よりも手前で収納対象物を取り出しできる構成としたから、収納対象物の補充や取り出しが容易となる。しかも、デザイン及び機能において斬新性を付与することができ、収納対象物の陳列レイアウト等に多様性を付与することも可能となる。
更に、常時は収納対象物が収納容器内に収納されている一方で、必要とするときに、収納対象物を取出位置に位置させればよいものであるから、収納対象物に埃等が堆積してしまうような不都合も防止することができる。
【００１４】
また、前記案内部を構成する下段案内部の前端部に、収納対象物の転動を規制するストッパ部が設けられる構成を採用しているため、操作手段を操作するまでは収納対象物を収納容器内に待機させた状態を確実に維持することができ、必要とする場合にのみ操作手段の取出位置に収納対象物を繰り出すように転動させることができる。
【００１５】
更に、前記ストッパ部に対して後壁側で収納対象物の転動を規制する段部を更に備えた構成によれば、収納対象物を停止させる位置を二段階にでき、収納対象物を一つずつ確実に取出位置に位置させることができる。
【００１６】
なお、前記ガイド片を案内部に着脱可能に設けた構成によれば、収納対象物の長さに応じて案内幅を調整できるので、収納対象物の転動方向に直進性が保たれた状態で収納対象物を転がすことができる。
【図面の簡単な説明】
【００１７】
【図１】実施形態に係る収納容器を備えた陳列什器の要部外観斜視図。
【図２】収納容器の概略斜視図。
【図３】収納容器を構成する容器本体の平面図。
【図４】容器本体の側面図。
【図５】容器本体の正面図。
【図６】操作手段の概略斜視図。
【図７】操作手段の平面図。
【図８】操作手段の正面図。
【図９】操作手段の側面図。
【図１０】操作手段の動作説明図。
【図１１】図１０の次の段階を示す動作説明図。
【考案を実施するための形態】
【００１８】
以下、本考案の好ましい実施形態について図面を参照しながら説明する。
なお、本明細書における位置若しくは方向を示す用語は、特に明示しない限り、図１に示す陳列什器を正面（Ａ方向）に見た状態を基準とする。従って、例えば、「前」、「後」は、陳列什器の手前側と奥行側に関して用いられ、「左」、「右」は陳列什器を正面からみた場合について用いるものである。これらの用語は、本考案の理解を容易にするために用いられたものであって本考案を限定するものではなく、陳列什器を見る位置によって決定される相対的なものと理解されるべきものである。
【００１９】
図１において、陳列什器１０は、ケース１１と、当該ケース１１の前部側で出し入れ可能に設けられた収納容器１２とを備えて構成されている。この陳列什器１０は、好ましい実施形態によれば、適宜なボックス若しくはフレーム等を用いた支持体１３上に載置して利用される。ケース１１及び収納容器１２は、例えば、アクリル等の樹脂を成形素材として成形されているとともに、収納容器１２の内側を透かして見ることができる透光性を備えて構成されている。
なお、本実施形態における収納容器１２は、特に限定されるものではないが、転動可能な外周形状を備えた棒状のゲルインキボールペンの替え芯Ｇ（図２参照）を収納対象物として収納するようになっている。
【００２０】
前記ケース１１は、それぞれ略方形の平面形状を備えた天板１４、底板１５、側板１６、背板１７及び棚板１８を備え、概して前端開放型の箱状に設けられ、天板１４、底板１５及び棚板１８には、収納容器１２の収納幅を規制する直線状に延びる突条部１９が前後方向にそれぞれ設けられ、これにより、収納容器１２が一般的な引き出しと同じように前後に出し入れ可能となっている。
前記天板１４、底板１５及び棚板１８には、それらの前端中央部に平面視で凹状をなす切欠部１４Ａ、１５Ａ、１８Ａがそれぞれ設けられており、これら切欠部１４Ａ、１５Ａ、１８Ａにより、収納容器１２を前方に少し引き出して替え芯Ｇを収納するときや、収納容器１２がケース１１内に完全に収容された状態でも替え芯Ｇを取り出す際の指先のアクセスが妨げられないようになっている。
【００２１】
前記収納容器１２は、図２ないし図５に示されるように、左右（図３中上下）の側壁２１と、これら側壁２１の前端間及び後端間にそれぞれ位置する前壁２２及び後壁２３とを含む周壁と、前壁２２の内面側に連設されるとともに、前記替え芯Ｇを後壁２３側に向って転動させた後に前壁２２側の方向に転回させる傾斜角度に設けられた上下二段の案内部２５（図４参照）と、当該案内部２５において替え芯Ｇの転動を規制するストッパ部２６とを備えた容器本体３０と、前壁２２の下部を通過して前後が上下方向に交互に変位するように支持手段２７（図１０参照）を介して揺動可能に支持されたアーム部材２８を含む操作手段２９とを備えて構成されている。
ここで、前壁２２及び後壁２３は、それらの上下幅寸法が側壁２１の上下幅寸法よりも小さくされ、下方が前後方向に開通するように設けられており、これにより、前壁２２の下方を通って操作手段２９のアーム部材２８が容器本体３０の内外に延在するようになっている。
【００２２】
前記案内部２５は、図３、図４に示されるように、後部（図３、４中右側）が前部（同左側）よりも低い傾斜角度の上段案内部３２と、この上段案内部３２の後端と後壁２３との間を通って下方に落ちる替え芯Ｇを受け取り可能に設けられているとともに、前部が後部よりも低い傾斜角度を有し、且つ、前記上段案内部３２の中間部下方に前端部が位置する前後長さに設けられた下段案内部３３とにより構成されている。
上段案内部３２は、図３に示されるように、前壁２２の内面から後壁２３の手前まで延びて替え芯Ｇの中央領域を転動可能に案内する中央案内部３２Ａと、この中央案内部３２Ａの左右両側（図３中上下両側）で当該中央案内部３２Ａの途中まで延びて替え芯Ｇの端部領域を転動可能に案内可能な端部案内部３２Ｂとを備えている。端部案内部３２Ｂは、前壁２２の上端側から曲面を経て中央案内部３２Ａの上面に連なるように設けられている。
【００２３】
前記下段案内部３３は、後壁２３の左右両側内面から前壁２２方向に延びて替え芯Ｇの端部領域を案内する左右一対をなし、これら下段案内部３３の前端部に前記ストッパ部２６が設けられている。下段案内部３３は、図４に示されるように、後壁２３側に湾曲部３３Ａと、これの前方に連なる平面部３３Ｂとからなる。平面部３３Ｂの前部側は、左右幅（図３中上下幅）が小さい幅狭部３３Ｃを形成するように側壁２１側が平面視Ｌ字状に切り欠かれた形状とされている。そして、この切り欠いて形成された空間Ｓにより、操作手段２９の後述する押し上げ部４４が下段案内部３３と位置的な干渉を生ずることなく上下方向への変位が許容されるようになっている。また、空間Ｓの下方には、図２に示されるように、操作手段２９の後端側の下方変位限を形成する下平面部３４が位置するように形成されている。
また、本実施形態では、前記幅狭部３３Ｃと平面部３３Ｂとの境界を段部３３Ｄとして幅狭部３３Ｃが平面部３３Ｂに対して高い位置となるように設けられ、これにより、前記ストッパ部２６に対して転動方向の上流側すなわち後壁２３側においても替え芯Ｇの転動が規制されるようになっている。
【００２４】
前記上段案内部３２を構成する中央案内部３２Ａの幅方向（図３中上下方向）両側すなわち左右両側の端部にはリブ３５が設けられているとともに、下段案内部３３における内側の端部と、幅狭部３３Ｃの幅方向両側の端部にはリブ３６が設けられ、これらのリブ３５、３６に替え芯Ｇが接して転動するように設けられている。従って、替え芯Ｇの転がり抵抗は小さく保たれる一方、中央案内部３２Ａ、下段案内部３３に剛性を付与することができる。
なお、中央案内部３２Ａの下面側における左右方向（幅方向）両側には、前後に延在する垂下片３２Ｃが形成されている。これら垂下片３２Ｃにおいて、前記幅狭部３３Ｃの上方位置には、上方に凹む前後二つの湾曲縁３２Ｃ１、３２Ｃ２が形成されており、これら湾曲縁によって、替え芯Ｇの押し上げ動作がスムースに行えるようになっている。
【００２５】
前記ストッパ部２６は、下段案内部３３における前記幅狭部３３Ｃの幅方向両側の端部に位置するリブ３６の前端部を爪状に立ち上がらせることによって形成され、これにより、替え芯Ｇの転動を規制する最終位置が下段案内部３３の前端部に形成される。
【００２６】
前記容器本体３０の前壁２２中央部には、収納対象物としての替え芯Ｇの種別、例えば色や太さ等の特性の他、価格等を表示する図示しないシート片を上端から差し込みできるポケット２２Ａが形成されている。
【００２７】
前記操作手段２９は、図６ないし図９に示されるように、前記一対の下段案内部３３に対応して設けられた左右一対のアーム部材２８と、これらアーム部材２８間に位置して当該アーム部材２８を相互に連結する連結部材３８と、アーム部材２８の前端側にそれぞれ設けられて替え芯Ｇの取出位置を形成する操作部３９とを備えて構成されている。
左右のアーム部材２８は前記操作部３９を前壁２２の前方に位置させる一方、後端側が前記下段案内部３３の下方に達する長さを備えている（図１０参照）とともに相互に同一面上に位置する板状をなし、後端側には段落ち部４０を介して後方に向けられた舌片状部４１が連設されている。また、アーム部材２８は、その幅方向両側に替え芯Ｇが転動するリブ４２を備えて形成されている。
【００２８】
アーム部材２８の後端側となる前記舌片状部４１の左右方向外側には、リブ４２に連なる片状の押し上げ部４４が形成され、当該押し上げ部４４は、その面を前後方向に向け、且つ、略垂直面上に位置する形状とすることで、前記下段案内部３３と干渉することなく前記空間Ｓ内で上下に変位可能とされている。
また、前記連結部材３８の後端側は、段差４５を介して片部材からなる延長片４６を備えた形状とされ、当該延長片４６は、下段案内部３３の段部３３Ｄで転動が規制される替え芯Ｇを幅狭部３３Ｃの上面側に押し上げるよう作用する。段差４５の手前側となる連結部材３８の左右両側、すなわち実質的にアーム部材２８の後部内側にも内側押し上げ部４４Ａが形成されており、当該内側押し上げ部４４Ａと、前記押し上げ部４４のいずれか一方により、ストッパ部２６で転動規制される最先の替え芯Ｇを押し上げて当該ストッパ部２６の前方となるアーム部材２８上に乗り移らせるようになっている。また、軸長が短い替え芯Ｇを収納対象としたときは、内側押し上げ部４４Ａが替え芯Ｇの押し上げを行えるようになっている。
なお、上記において、内側押し上げ部４４Ａと、押し上げ部４４のいずれか一方で替え芯Ｇを押し上げるとしたのは、替え芯Ｇの一端側すなわち芯が位置する側の径が細くなっており、押し上げ部４４との間に隙間が生じるためである。
【００２９】
前記アーム部材２８及び連結部材３８の下面側には、図６、図７に示されるように、軸４７を左右方向に挿抜可能とする軸受部４８が形成されており、当該軸受部４８に支持される軸４７は操作手段２９の両端から突出する長さを備え、当該突出した部分が、収納容器１２の側壁２１の内面に設けられた軸受５０に支持され、これにより、操作手段２９の前後が上下に変位するように揺動可能となっている。ここにおいて、前記軸４７、軸受部４８及び軸受５０により、操作手段２９を収納容器１２に揺動可能に支持する支持手段２７が構成されている。
なお、操作手段２９のアーム部材２８は、前記支持手段２７の位置に対する前後各端部までの長さ、重さの相違により、後端側が前端側に対して下方に変位するようにバランス設定されているが、アーム部材２８の後端に設けられた舌片状部４１が下平面部３４に当接する位置を下降限として設定されているため、アーム部材２８の前端側が後端側に対して相対的に低くなる傾斜姿勢は常に維持されることとなる。
【００３０】
また、前記操作部３９は、アーム部材２８の前端に連なって替え芯Ｇの取出位置を形成する立ち上げ面３９Ａと、当該立ち上げ面３９Ａの上端から前方に向けられて操作面として作用する屈曲面３９Ｂとを含み、側面視で略Ｌ字状となるように設けられている。
前記操作手段２９は、操作部３９の操作面３９Ｂに下向きの押圧力を付与しない状態では、アーム部材２８の後端側に設けられた舌片状部４１が前記下平面部３４に接する位置となるように保たれる。
【００３１】
なお、図２中符号５５は、替え芯Ｇの長さに応じて案内幅を規制するガイド片を示し、当該ガイド片５５は容器本体３０内の左右両側に配置されて一対をなすものである。このガイド片５５の下端側前後には、前部突片５６及び後部突片５７が設けられており、前部突片５６は、上段案内部３２における端部案内部３２Ｂに設けられた取付部としての複数のスリット５８に選択的に嵌合する一方、後部突片５７は、下段案内部３３に設けられた複数の取付部としてのスリット５９に選択的に嵌合して着脱可能に設けられている。
本実施形態では、ガイド片５５を用いる必要のない軸長を有する替え芯Ｇを収納対象としているが、軸長の短い替え芯Ｇを収納対象とした場合にはガイド片５５を装着することで案内幅が狭められて替え芯Ｇの転動する方向の直進性が担保される。この場合には、アーム部材２８における押し上げ部４４による替え芯Ｇの押し上げに替えて、内側押し上げ部４４Ａによって押し上げが行われることとなる。
また、ガイド片５５の面内には、その面を貫通する穴５５Ａが形成されている。この穴５５Ａには、操作手段２９を揺動可能に支持する前述の軸４７が挿通可能となっており、操作手段２９の上下を反転させるともに前後の向きを逆転させた姿勢としたときに、当該操作手段２９が容器本体３０内に収まるようになっている。従って、収納容器１２を工場出荷するようなとき等において、当該容器本体３０の内側に操作手段２９を収めて梱包可能となり、梱包体積を小型化できる、という効果を得ることができる。
【００３２】
次に、前記替え芯Ｇの収納と、取出し操作要領について、図１０及び図１１をも参照して説明する。
収納容器１２に替え芯Ｇを収納する場合には、陳列什器１０を構成するケース１１の前端から収納容器１２の前部側を若干引き出して行うことができる。この引き出し量は、ケース１１の前端と容器本体３０の前壁２２との間に替え芯Ｇを入れることができる間隔が形成できる程度でよい。
これにより、替え芯Ｇは、上段案内部３２を経て下段案内部３３まで転動し、最先の替え芯Ｇが下段案内部３３の段部３３Ｄで位置規制されて替え芯Ｇが連続して並び、これにより、収納容器１２内への替え芯Ｇの収納を完了することができる（図１０参照）。
このようにして替え芯Ｇの収納を完了した後に、収納容器１２を陳列什器のケース１１内に完全に押し込めばよい。
【００３３】
前記替え芯Ｇを取り出すときは、操作手段２９の操作部３９に指先を当てて押下げるように押圧すればよい。これにより、前記連結部材３８の後端側に位置する延長片４６が上方に変位して替え芯Ｇを押し上げ、当該替え芯Ｇがストッパ部２６による転動規制位置まで転がって停止する。この一方、最先の替え芯Ｇに続く次の替え芯Ｇは段部３３Ｄによって転動規制されることとなる。
次いで、操作部３９を再度押下げると、ストッパ部２６で停止している最先の替え芯Ｇは、アーム部材２８の後端側に設けられた押し上げ部４４によって押し上げられ、ストッパ部２６を乗り越えてアーム部材２８上に転がり、操作部３９の立ち上げ面３９Ａに当接する取出位置まで転動し、これにより、替え芯Ｇを取り出すことが可能となる。
以後同様の操作により、順次替え芯Ｇの取り出しを行うことができる。
なお、替え芯Ｇの押し上げに際し、操作部３９を強く押し下げてしまうようなことがあっても、中央案内部３２Ａの垂下片３２Ｃに湾曲縁３２Ｃ１、３２Ｃ２が形成されていることで、替え芯Ｇの押し上げはスムースに行われ、その後の前方移動を支障なく行うことができる。
【００３４】
従って、このような実施形態によれば、アーム部材２８の前端側となる取出位置まで替え芯Ｇを転動させて繰り出してこれを取り出すことができ、既存の収納容器にない操作感を伴って収納対象物を取り出すことが可能となる。
また、収納容器１２をケース１１の前方に僅かに引き出すだけで替え芯Ｇの補充作業を容易且つ迅速に行うことが可能な陳列什器１０を提供することができる。
【００３５】
本考案を実施するための最良の構成、方法などは、以上の記載で開示されているが、本考案は、これに限定されるものではない。
すなわち、本考案は、特定の実施の形態に関して特に図示し、且つ、説明されているが、本考案の技術的思想及び目的の範囲から逸脱することなく、以上に述べた実施形態に対し、形状、位置若しくは方向、その他の詳細な構成において、当業者が様々な変形を加えることができるものである。
従って、上記記載は、本考案の理解を容易にするために例示的に記載したものであり、本考案を限定するものではないから、それらの形状などの限定の一部若しくは全部を他の形状等に変更しても、本考案と実質的に同一であって、本考案の思想に含まれるものとなる。
【００３６】
例えば、前記実施形態では収納対象物としてゲルインキボールペンの替え芯Ｇを図示、説明したが、転動する外周形状を備えたその他の筆記具等の文具、棒状の化粧用具（例えば、アイブローペンシル）等を収納対象物とすることができる。
また、前記案内部２５や、操作手段２９も図示構成例に限定されるものではなく、収納対象物を転動させて収納容器１２内の所定位置で停止するように設ける一方で、操作手段２９により収納対象物を受け取って取出位置に位置させることができるものであればよい。従って、案内部２５や操作手段２９の形状若しくは構造は、上記作用を奏する限り、種々変更することができる。
更に、陳列什器１０のケース１１は、図示構成例に限らず、１又は２個の収納容器を出し入れする大きさのケース等、その他のものが採用可能である。
【符号の説明】
【００３７】
１０  陳列什器
１１  ケース
１２  収納容器
１３  支持体
１４  天板
１４Ａ  切欠部
１５  底板
１５Ａ  切欠部
１６  側板
１７  背板
１８  棚板
１８Ａ  切欠部
１９  突条部
２１  側壁
２２  前壁
２２Ａ  ポケット
２３  後壁
２５  案内部
２６  ストッパ部
２７  支持手段
２８  アーム部材
２９  操作手段
３０  容器本体
３２  上段案内部
３２Ａ  中央案内部
３２Ｂ  端部案内部
３２Ｃ  垂下片
３２Ｃ１、３２Ｃ２  湾曲縁
３３  下段案内部
３３Ａ  湾曲部
３３Ｂ  平面部
３３Ｃ  幅狭部
３３Ｄ  段部
３４  下平面部
３５、３６、４２リブ
３８  連結部材
３９  操作部
３９Ａ  立ち上げ面
３９Ｂ  屈曲面
４０  段落ち部
４１  舌片状部
４４  押し上げ部
４４Ａ  内側押し上げ部
４５  段差
４６  延長片（片部材）
４７  軸
４８  軸受部
５０軸受
５５  ガイド片
５５Ａ  穴
５６  前部突片
５７  後部突片
５８、５９  スリット（取付部）
Ｇ  替え芯（収納対象物）
Ｓ  空間
【図１】
0003235576.tif 000003
【図２】
0003235576.tif 000004
【図３】
0003235576.tif 000005
【図４】
0003235576.tif 000006
【図５】
0003235576.tif 000007
【図６】
0003235576.tif 000008
【図７】
0003235576.tif 000009
【図８】
0003235576.tif 000010
【図９】
0003235576.tif 000011
【図１０】
0003235576.tif 000012
【図１１】
0003235576.tif 000013